(57)【特許請求の範囲】
【請求項１】
撮像部と、
前記撮像部で撮影された画像を保持可能なメモリと、
表示部と、
前記表示部に重ねて配置され、指示体との間の距離を検出可能なタッチパネルと、を備え、
前記距離が第１の距離以下であり、かつ、前記第１の距離より小さい第２の距離より大きい場合、前記メモリは前記画像を所定時間間隔で保持し、
その後、前記距離が、前記第２の距離以下であり、かつ０以上になった場合、前記表示部は、前記メモリに保持され、かつ前記距離が前記第２の距離以下でありかつ０以上になる以前の画像を表示する、
撮影装置。
【請求項２】
請求項１に記載の撮影装置であって、
前記距離が、前記第２の距離以下であり、かつ０以上になった場合に、
前記メモリは、前記画像の所定時間間隔での保持を停止する、
撮影装置。
【請求項３】
請求項１又は請求項２に記載の撮影装置であって、
前記メモリを第１のメモリとし、
第２のメモリを装着可能であり、
前記距離が、前記第２の距離以下であり、かつ０以上になった場合に、
前記第１のメモリに保持され、かつ前記距離が前記第２の距離以下でありかつ０以上になる以前の画像を、
前記第２のメモリに保持可能な、
撮影装置。
【請求項４】
請求項１から請求項３のいずれか１項に記載の撮影装置であって、
前記第２の距離は、０である、
撮影装置。
【請求項５】
請求項１から請求項４のいずれか１項に記載の撮影装置であって、
前記指示体は、指又はペンである、
撮影装置。
【請求項６】
請求項１から請求項５のいずれか１項に記載の撮影装置であって、
少なくとも、前記距離が第１の距離以下であり、かつ、前記第１の距離より小さい第２の距離より大きい場合、
前記表示部は、前記撮像部で撮影された画像を表示する、
撮影装置。
【請求項７】
請求項１から請求項６のいずれか１項に記載の撮影装置であって、
前記表示部は、所定のアイコンを表示する、
撮影装置。
【請求項８】
撮像部と、前記撮像部で撮影された画像を保持可能なメモリと、表示部と、前記表示部に重ねて配置され、指示体との間の距離を検出可能なタッチパネルと、を備える撮影装置において利用可能な撮影方法であって、
前記距離が第１の距離以下であり、かつ、前記第１の距離より小さい第２の距離より大きい場合、前記メモリは前記画像を所定時間間隔で保持するステップと、
前記距離が、前記第２の距離以下であり、かつ０以上になった場合、前記表示部は、前記メモリに保持され、かつ前記距離が前記第２の距離以下でありかつ０以上になる以前の画像を表示するステップと、を備えた、
撮影方法。
【請求項９】
画像を撮像可能な撮像部と、
表示部と、
前記表示部に重ねて配置され、指示体との間の距離を検出可能なタッチパネルと、を備え、
所定の時間、前記距離が第１の距離以下であり、かつ、前記第１の距離より小さい第２の距離より大きい場合、
前記表示部が前記所定の時間経過時の前記画像を表示する、
撮影装置。
【請求項１０】
請求項９に記載の撮影装置であって、
メモリを備え、
前記所定の時間、前記距離が前記第１の距離以下であり、かつ、前記第１の距離より小さい前記第２の距離より大きい場合、
前記表示部が前記所定の時間経過時の前記画像を表示するとともに、前記メモリが前記画像を保存する、
撮影装置。
【請求項１１】
請求項１０に記載の撮影装置であって、
前記メモリは、着脱可能である、
撮影装置。
【請求項１２】
請求項９から請求項１１のいずれか１項に記載の撮影装置であって、
前記距離が前記第１の距離以下であり、かつ、前記第１の距離より小さい前記第２の距離より大きい場合、前記表示部は、撮影のタイミングが近づきつつある旨を表示する、
撮影装置。
【請求項１３】
請求項１２に記載の撮影装置であって、
前記撮影のタイミングが近づきつつある旨を、模式的に表示する、
撮影装置。
【請求項１４】
画像を撮像可能な撮像部と、
表示部と、
前記表示部に重ねて配置され、指示体との間の距離を検出可能なタッチパネルと、を備えた撮影装置で利用可能な撮影方法であって、
所定の時間、前記距離が第１の距離以下であり、かつ、前記第１の距離より小さい第２の距離より大きい場合、
前記表示部が前記所定の時間経過時の前記画像を表示する、
撮影方法。
【発明の詳細な説明】
【技術分野】
【０００１】
本発明は、タッチパネルを搭載した携帯電話、スマートフォン、タブレット等の携帯情報端末に用いて好適な撮影装置に関する。
【背景技術】
【０００２】
近年、上述したタッチパネルを搭載した携帯情報端末が普及している。また、この種の携帯情報端末には撮影装置（即ち、カメラ）を搭載したものもある。撮影装置で採用されているシャッター方式には機械式のものと電気式のものとがあり、電気式のものには、ディスプレイ画面にシャッターアイコンを表示し、それを押下（タッチ）することで、シャッターが切れるタイプのものと、ディスプレイ画面に表示されている被写体の一部をタッチすることでシャッターが切れるタイプのものとがある。一方、機械式のものには、機械的なシャッターボタンを押下することで、シャッターが切れるものがある。【０００３】
撮影装置を搭載した携帯情報端末で撮影を行う場合、シャッターの押下時に筐体の振動及び傾きによって手ぶれが発生することがある。特に、携帯情報端末は、携帯性の観点から小型・軽量に造られるため、タッチパネルに触れただけでも手ぶれが発生してしまう。この手ぶれは、上記３つのシャッター方式のいずれにおいても発生する。【０００４】
シャッターを切るときの手ぶれを低減させた一例が特許文献１に記載されている。この特許文献１に記載されたカメラ機器では、シャッターを半押しした状態で撮影画像を記録媒体に取り込むための信号を発生するようにしている。
【先行技術文献】
【特許文献】
【０００５】
【特許文献１】日本国特開２０１２−０３７９０２号公報
【発明の概要】
【発明が解決しようとする課題】
【０００６】
ところで、タッチパネルには、パネル面に指が触れることなく所定の範囲の高さでの操作（以下、この操作は“ホバー操作”と呼ばれる）を可能にした静電容量方式のタッチパネルがある。この種のタッチパネルを使用することで、パネル面に触れることなくシャッターを切ることは可能である。しかしながら、空中のどの位置にシャッターがあるか分かり難くなるため、意に反してシャッターが切られる虞がある。このようなことから、静電容量方式のタッチパネルを用いてもシャッターを切るときはタッチパネルに触れる（タッチする）ようにする必要がある。当然ながら、タッチパネルに触れることで手ぶれが発生する。【０００７】
本発明は、係る事情に鑑みてなされたものであり、静電容量方式のタッチパネルを搭載した撮影装置において、手ぶれの無い画像を撮影することができる撮影装置を提供することを目的とする。
【課題を解決するための手段】
【０００８】
本発明の撮影装置は、撮像部と、前記撮像部で撮影された画像を保持可能なメモリと、表示部と、前記表示部に重ねて配置され、指示体との間の距離を検出可能なタッチパネルと、を備え、前記距離が第１の距離以下であり、かつ、前記第１の距離より小さい第２の距離より大きい場合、前記メモリは前記画像を所定時間間隔で保持し、その後、前記距離が、前記第２の距離以下であり、かつ０以上になった場合、前記表示部は、前記メモリに保持され、かつ前記距離が前記第２の距離以下でありかつ０以上になる以前の画像を表示する。【０００９】
上記構成によれば、指示体とタッチパネルとの間の距離が、第２の距離より大きく、第１の距離以下である場合、撮像部で撮影された画像を所定時間間隔でメモリに保持し、その後、第２の距離以下で、かつ０以上になった場合、当該距離になる以前にメモリに保持している画像をメモリから読み出して表示部に表示するので、手ぶれの無い画像を撮影することができる。【００１０】
上記構成において、前記距離が、前記第２の距離以下であり、かつ０以上になった場合に、前記メモリは、前記画像の所定時間間隔での保持を停止する。【００１１】
上記構成によれば、指示体とタッチパネルとの間の距離が、第２の距離以下で、かつ０以上になった場合、新たな画像の保持を行わないので、手ぶれが生じた画像を撮影することが無い。【００１２】
上記構成において、前記メモリを第１のメモリとし、第２のメモリを装着可能であり、前記距離が、前記第２の距離以下であり、かつ０以上になった場合に、前記第１のメモリに保持され、かつ前記距離が前記第２の距離以下でありかつ０以上になる以前の画像を、前記第２のメモリに保持可能とする。【００１３】
上記構成によれば、指示体とタッチパネルとの間の距離が、第２の距離以下であり、かつ０以上になった場合に、当該距離以前の第１のメモリに保持されている画像を第２のメモリに保持するので、第２のメモリからは、手ぶれの無い画像のみを得ることができる。【００１４】
上記構成において、前記第２の距離は、０である。【００１５】
上記構成によれば、第２の距離を０とすることで、指示体がタッチパネルに接触した場合に、それ以降は新規の画像の保持を行わず、またタッチする以前にメモリに保持している画像を表示する。【００１６】
上記構成において、前記指示体は、指又はペンである。【００１７】
上記構成において、少なくとも、前記距離が第１の距離以下であり、かつ、前記第１の距離より小さい第２の距離より大きい場合、前記表示部は、前記撮像部で撮影された画像を表示する。【００１８】
上記構成によれば、指示体とタッチパネルとの間の距離が、第１の距離以下であり、かつ第２の距離より大きい場合、撮像部で撮影された画像を表示するので、撮影する前の画像（プレビュー画像）を確認することができる。【００１９】
上記構成において、前記表示部は、所定のアイコンを表示する。【００２０】
上記構成によれば、所定のアイコンをシャッターアイコンとして用いることで、このシャッターアイコンに触れることでシャッターを切ることができる。【００２１】
本発明の撮影方法は、撮像部と、前記撮像部で撮影された画像を保持可能なメモリと、表示部と、前記表示部に重ねて配置され、指示体との間の距離を検出可能なタッチパネルと、を備える撮影装置において利用可能な撮影方法であって、前記距離が第１の距離以下であり、かつ、前記第１の距離より小さい第２の距離より大きい場合、前記メモリは前記画像を所定時間間隔で保持するステップと、前記距離が、前記第２の距離以下であり、かつ０以上になった場合、前記表示部は、前記メモリに保持され、かつ前記距離が前記第２の距離以下でありかつ０以上になる以前の画像を表示するステップと、を備えた。【００２２】
上記方法によれば、指示体とタッチパネルとの間の距離が、第２の距離より大きく、第１の距離以下である場合、撮像部で撮影された画像を所定時間間隔でメモリに保持し、その後、第２の距離以下で、かつ０以上になった場合、当該距離になる以前にメモリに保持している画像をメモリから読み出して表示部に表示するので、手ぶれの無い画像を撮影することができる。【００４２】
本発明の撮影装置は、画像を撮像可能な撮像部と、表示部と、前記表示部に重ねて配置され、指示体との間の距離を検出可能なタッチパネルと、を備え、所定の時間、前記距離が第１の距離以下であり、かつ、前記第１の距離より小さい第２の距離より大きい場合、前記表示部が前記所定の時間経過時の前記画像を表示する。
【００４３】
上記構成によれば、所定の時間、タッチパネルと指示体との間の距離が、第１の距離以下であり、かつ第１の距離より小さい第２の距離より大きい場合、前記所定の時間経過時に撮影した画像を表示する。したがって、所定の時間、指示体を、タッチパネルから第２の距離より大きく、第１の距離以下の範囲内に置くだけで撮影が行われるので、操作性の向上が図れる。
【００４４】
上記構成において、メモリを備え、前記所定の時間、前記距離が前記第１の距離以下であり、かつ、前記第１の距離より小さい前記第２の距離より大きい場合、前記表示部が前記所定の時間経過時の前記画像を表示するとともに、前記メモリが前記画像を保存する。
【００４５】
上記構成によれば、撮影した画像をメモリに保存することができる。【００４６】
上記構成において、前記メモリは、着脱可能である。【００４７】
上記構成によれば、メモリの持ち運びが可能となるとともに、交換が可能となる。【００４８】
上記構成において、前記距離が前記第１の距離以下であり、かつ、前記第１の距離より小さい前記第２の距離より大きい場合、前記表示部は、撮影のタイミングが近づきつつある旨を表示する。【００４９】
上記構成によれば、タッチパネルと指示体との間の距離が、第１の距離以下であり、かつ第１の距離より小さい第２の距離より大きい場合、撮影のタイミングが近づきつつある旨を表示するので、ユーザは、撮影のタイミングを知ることができ、ベストタイミングで撮影を行うことができる。【００５０】
上記構成において、前記撮影のタイミングが近づきつつある旨を、模式的に表示する。【００５１】
上記構成によれば、ユーザは、撮影のタイミングを知ることができ、ベストタイミングで撮影を行うことができる。【００５２】
本発明の撮影方法は、画像を撮像可能な撮像部と、表示部と、前記表示部に重ねて配置され、指示体との間の距離を検出可能なタッチパネルと、を備えた撮影装置で利用可能な撮影方法であって、所定の時間、前記距離が第１の距離以下であり、かつ、前記第１の距離より小さい第２の距離より大きい場合、前記表示部が前記所定の時間経過時の前記画像を表示する。
【００５３】
上記方法によれば、所定の時間、タッチパネルと指示体との間の距離が、第１の距離以下であり、かつ第１の距離より小さい第２の距離より大きい場合、撮影した画像を表示する。したがって、所定の時間、指示体を、タッチパネルから第２の距離より大きく、第１の距離以下の範囲内に置くだけで撮影が行われるので、操作性の向上が図れる。
【発明の効果】
【００５４】
本発明によれば、静電容量方式のタッチパネルを搭載した撮影装置において、手ぶれの無い画像を撮影することができる。
【図面の簡単な説明】
【００５５】
【図１】本発明の実施の形態１に係る撮影装置の概略構成を示すブロック図
【図２】図１の撮影装置のタッチパネルコントローラにおける指検出方法を示す図
【図３】図１の撮影装置のタッチパネル部と指との間の距離の時間的変化を示す図
【図４】（ａ），（ｂ）図１の撮影装置を搭載したスマートフォンによる撮影時の様子を示す図
【図５】図１の撮影装置のリングバッファに保持されている撮影画像データを模式的に示した図
【図６】図１の撮影装置において、シャッターアイコンが押下されたときの撮影画像の数枚前の撮影画像の取り出し状態を模式的に示した図
【図７】図１の撮影装置のカメラ機能開始から撮影画像表示までの処理を示すフローチャート
【図８】（ａ），（ｂ）本発明の実施の形態２に係る撮影装置を搭載したスマートフォンによる撮影時の様子を示す図
【図９】図８（ａ），（ｂ）の撮影装置のカメラ機能開始から撮影画像表示までの処理を示すフローチャート
【図１０】本発明の実施の形態３に係る撮影装置の概略構成を示すブロック図
【図１１】（ａ），（ｂ）図１０の撮影装置を搭載したスマートフォンによる撮影時の様子を示す図
【図１２】図１０の撮影装置のカメラ機能開始から撮影画像保存までの処理を示すフローチャート
【図１３】（ａ），（ｂ）本発明の実施の形態４に係る撮影装置を搭載したスマートフォンによる撮影時の様子を示す図
【図１４】本発明の実施の形態４に係る撮影装置のカメラ機能開始から撮影画像保存までの処理を示すフローチャート
【図１５】本発明の実施の形態５に係る撮影装置の概略構成を示すブロック図
【図１６】（ａ）〜（ｄ）図１５の撮影装置において、撮影のタイミングが近づきつつある旨を模式的に表示した例を示す図
【図１７】図１５の撮影装置のタイマリセットから撮影画像保存までの処理を示すフローチャート
【発明を実施するための形態】
【００５６】
以下、本発明を実施するための好適な実施の形態について、図面を参照して詳細に説明する。
【００５７】
（実施の形態１）
図１は、本発明の実施の形態１に係る撮影装置の概略構成を示すブロック図である。本実施の形態に係る撮影装置１は、スマートフォンと呼ばれる携帯無線機に搭載したものであり、無線機としての通信に関する部分は省略している。
【００５８】
図１において、本実施の形態に係る撮影装置１は、タッチパネル部２と、タッチパネルコントローラ３と、電源及び制御部４と、座標出力部５と、カメラ（撮像部）６と、カメラ撮影画像処理部７と、リングバッファ（メモリ、第１のメモリ）８と、メモリカード（第２のメモリ）９と、画像表示制御部１０と、液晶部（表示部）１１と、を備える。なお、本実施の形態に係る撮影装置１において、タッチパネル部２とタッチパネルコントローラ３は、タッチパネルモジュール（タッチパネル）１５を構成する。
【００５９】
タッチパネルコントローラ３、電源及び制御部４、座標出力部５及びカメラ撮影画像処理部７は、ＣＰＵ（Central Processing Unit）、ＲＯＭ（Read Only Memory）、ＲＡＭ（Random Access Memory）及びインタフェース回路で構成される。該ＲＯＭにはＣＰＵを制御するためのプログラムが記憶されており、該ＲＡＭはＣＰＵの動作において使用される。なお、タッチパネルコントローラ３、電源及び制御部４、座標出力部５及びカメラ撮影画像処理部７のそれぞれを単独で構成することも勿論可能である。
【００６０】
タッチパネルモジュール１５は、タッチパネル面に指が触れることなく所定の範囲の高さでの操作（“ホバー操作”）が可能な静電容量方式を採用したものである。タッチパネル部２は液晶部１１に重ねて配置される。タッチパネル部２は、図示せぬ送信電極と受信電極とを備えており、これらが板状の誘電体の下面に離間して配置されている。送信電極にはタッチパネルコントローラ３から出力される送信信号に基づく駆動パルスが印加される。送信電極に駆動パルスが印加されることで送信電極から電界が発生する。この電界中に指示体（指やペン等であり、本実施の形態では“指”として扱うこととする）が入ると、送信電極と受信電極の間の電気力線の数が減少し、電気力線の数の変化が受信電極における電荷の変化として現れる。受信電極における電荷の変化に応じた受信信号がタッチパネルコントローラ３へ出力される。タッチパネルコントローラ３は、電源及び制御部４との間で制御信号の授受を行い、タッチパネル部２へ送信信号を出力する。また、タッチパネルコントローラ３は、タッチパネル部２から出力される受信信号を入力し、入力した受信信号から指を検出し、検出した指の位置を示す座標信号を座標出力部５へ出力する。
【００６１】
図２は、タッチパネルコントローラ３における指の検出方法を示す図である。同図において、タッチパネルコントローラ３は、タッチパネル部２から出力される受信信号のレベルに応じた距離（即ち、指２０からタッチパネル部２までの距離）Ｚｂ（又はＺｃ）が第１の距離Ｚ１と第２の距離Ｚ０の間にあれば、指２０を検出する。この際、指２０のぶれを考慮して、所定時間内における距離の平均値として算出する。図３は、指２０とタッチパネル部２との間の距離の時間的変化を示す図である。同図に示すように、第１の距離Ｚ１と第２の距離Ｚ０との間において、時刻ｔ１から時刻ｔ２までの間の距離の平均値を算出する。この距離の平均値が第１の距離Ｚ１と第２の距離Ｚ０の間にあれば指２０を検出する。なお、上述した距離Ｚｂは片手操作したときの距離を想定したものであり、距離Ｚｃは両手操作したときの距離を想定したものである。これらの距離Ｚｂ，Ｚｃの詳細については後述する。
【００６２】
図１に戻り、電源及び制御部４は、タッチパネルコントローラ３との間で制御信号の授受を行い、また装置各部へ電源電圧を供給する。座標出力部５は、タッチパネルコントローラ３から出力される座標信号を取り込み、それをカメラ撮影画像処理部７へ出力する。この場合、タッチパネルコントローラ３から出力される座標信号はタッチパネル部２上の指の位置（Ｘ，Ｙ，Ｚ）を示す信号である。カメラ６は、カメラ撮影画像処理部７から出力される制御信号に従って被写体を撮影し、撮影画像データをカメラ撮影画像処理部７へ出力する。
【００６３】
カメラ撮影画像処理部７は、フォーカス、ホワイトバランス等のカメラ制御を行うための制御信号をカメラ６へ出力し、カメラ６から出力される撮影画像データを入力する。また、カメラ撮影画像処理部７は、座標出力部５から出力された座標信号のうちＺ軸方向の信号より指の近接を判定し、さらにシャッターアイコン（所定のアイコン、カメラ作動時に液晶部１１の所定位置に表示される）の上空（これを”シャッターアイコン上空”と呼ぶ）にあるかどうか判定する。指がシャッターアイコン上空にある場合、該指との距離を判定する。即ち、タッチパネル部２と指との間の距離を判定する。この距離が第１の距離以下であり、かつ、第１の距離より小さい第２の距離より大きい場合、カメラ撮影画像処理部７は、カメラ６のフォーカス調整を行い、その後、カメラ６から出力される撮影画像データを所定時間間隔でリングバッファ８に保持させる。また、カメラ撮影画像処理部７は、撮影画像データを画像表示制御部１０へ出力する。
【００６４】
その後、タッチパネル部２と指との間の距離が第２の距離以下であり、かつ０以上になった場合、カメラ撮影画像処理部７は、シャッターアイコンが押下されたと判断し（即ち、シャッターが切られたと判断し）、撮像画像データのリングバッファ８への取り込みを終了する。そして、リングバッファ８に保持されている画像から１枚の画像（即ち前記距離が第２の距離以下であり、かつ０以上になる以前の画像）を抽出し、メモリカード９へ出力し、保存する。なお、指がシャッターアイコンにタッチされた場合、タッチパネル部２と指との間の距離が０となる。
【００６５】
図４（ａ），（ｂ）は、本実施の形態に係る撮影装置１を搭載したスマートフォン３０による撮影時の様子を示す図であり、（ａ）は指２０がシャッターアイコン３１の上空にある場合を示しており、（ｂ）は指２０がシャッターアイコン３１にタッチした場合を示している。なお、同図に示す場合は、スマートフォン３０を片手操作した場合で、指２０を検知する距離をＺｂとしている。片手操作のときは、両手操作のときよりも指２０がタッチパネル部２に近くなるので、低い反応距離にするため、Ｚｂ（＜Ｚｃ）としている。液晶部１１の画面中央には被写体４０が表示されている。
【００６６】
図５は、リングバッファ８に保持されている撮影画像データを模式的に示した図である。同図に示すように、リングバッファ８には所定時間間隔で取得した複数の撮影画像Ｄ１，Ｄ２，…，Ｄｎ−１，Ｄｎが保持されている。図６は、シャッターアイコン３１が押下（タッチ）されたときの撮影画像の数枚前の撮影画像の取り出し状態を模式的に示した図である。同図に示すように、シャッターアイコン３１が押下されたときの撮影画像Ｄｎの数枚前の撮影画像Ｄｎ−５が取り出されている。シャッターアイコン３１を押下したときに手ぶれが発生しやすいので、シャッターアイコン３１を押下したときに得られる撮影画像の数枚前の撮影画像を取得することで、手ぶれの無い撮影画像を得ることができる。
【００６７】
図１に戻り、画像表示制御部１０は、液晶部１１との間で制御信号の授受を行い、カメラ撮影画像処理部７から出力される撮影画像データから画像信号を生成して液晶部１１へ出力し、プレビュー画像を表示する。また、画像表示制御部１０は、メモリカード９に保持された画像（タッチパネル部２と指との間の距離が第２の距離以下であり、かつ０以上になる以前の画像）を読み出し、画像信号を生成して液晶部１１へ出力し、該画像を表示する。液晶部１１は、ＬＣＤ（Liquid Crystal Display）を有するものであるが、このＬＣＤの代わりに有機ＥＬ（Electro Luminescence）を有するものであっても構わない。リングバッファ８にはＤＲＡＭ等の揮発性メモリが用いられ、メモリカード９にはフラッシュメモリ等の不揮発性メモリが用いられる。勿論、メモリカード９は、装置本体に対して着脱自在となっている。
【００６８】
次に、本実施の形態に係る撮影装置１の動作を説明する。
図７は、本実施の形態に係る撮影装置１のカメラ機能開始から撮影画像表示までの処理を示すフローチャートである。同図において、カメラ撮影画像処理部７は、カメラ機能を開始する（ステップＳ１）。カメラ撮影画像処理部７は、カメラ機能を開始すると、ユーザの指２０がシャッターアイコン３１の上空にあって、かつタッチパネル部２と指２０との間の距離がＺｂであるかどうか判定する（ステップＳ２）。この判定において、当該条件を満足していない場合は、満足するまで本判定を繰り返し、当該条件を満足する場合は、カメラ６に対するフォーカス調整を行い、リングバッファ８への画像の取り込みを開始する（ステップＳ３）。
【００６９】
画像の取り込みを開始した後、指２０がシャッターアイコン３１にタッチしたかどうか判定し（ステップＳ４）、タッチされていない場合は、タッチされるまで本判定を繰り返し、タッチされた場合は、画像取り込みを終了し、指２０がシャッターアイコン３１にタッチされる直前の画像（例えば、数枚前の画像）を抽出する（ステップＳ５）。そして、抽出した画像をメモリカード９に保存する（ステップＳ６）。抽出された画像がメモリカード９に保存されると、画像表示制御部１０が、メモリカード９から当該画像を読み出し、液晶部１１に表示する（ステップＳ７）。撮影画像が表示された後、本処理を終える。
【００７０】
このように実施の形態１に係る撮影装置１によれば、指示体である指２０とタッチパネル部２との間の距離が第２の距離より大きく、第１の距離以下である場合、カメラ６で撮影された画像を所定時間間隔でリングバッファ８に保持し、その後、指２０とタッチパネル部２との間の距離が第２の距離以下で、かつ０以上になった場合、リングバッファ８における画像の保持を停止し、当該距離になる以前にリングバッファ８に保持されている画像から１枚の画像をリングバッファ８から抽出して液晶部１１表示するので、手ぶれの無い画像を撮影することができる。
【００７１】
また、指２０とタッチパネル部２との間の距離が第１の距離以下であり、かつ第２の距離より大きい場合、カメラ６で撮影された画像を表示するので、撮影する前の画像（プレビュー画像）を確認することができる。
【００７２】
なお、実施の形態１に係る撮影装置１では、図７のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００７３】
（実施の形態２）
図８（ａ），（ｂ）は、本発明の実施の形態２に係る撮影装置を搭載したスマートフォンによる撮影時の様子を示す図である。なお、同図において、前述した図４（ａ），（ｂ）と共通する部分には同一の符号を付けている。実施の形態２に係る撮影装置は、実施の形態１に係る撮影装置１と共通の構成を採るので、図１を援用することとする。この場合、実施の形態２に係る撮影装置１Ａは、新たな機能が追加されたカメラ撮影画像処理部７Ａを有している。
【００７４】
前述した実施の形態１に係る撮影装置１は、シャッターアイコン３１の操作でしか撮影を行うことができなかったが、実施の形態２に係る撮影装置１Ａは、シャッターアイコン３１の操作の他に、フォーカスしたいプレビュー画像を指定することでも撮影を行うことができる。例えば、プレビュー画像（例えば被写体４０）の上空に指２０を持ってきて、距離Ｚｃ以下の距離まで下方に移動させると、その位置において矩形状のフォーカスマーク５０が表示された後、フォーカス調整が行われて画像の取り込みが開始される。フォーカスしたいプレビュー画像を指定することで、そのプレビュー画像にフォーカスが合った撮影を行うことができる。シャッターアイコン３１を操作した場合は、全体的にフォーカスが合った撮影を行うことができる。なお、前述したように、両手操作する場合は、スマートフォン３０を持つ手と反対の手で操作することになることから、操作する側の手の指２０を検出できる反応距離（Ｚ軸方向の距離）は、片手操作の場合より長くなり、Ｚｃ＞Ｚｂとなる。但し、必ずしもこのようにする必要はなく、Ｚｃ＝Ｚｂであっても構わない。
【００７５】
図９は、実施の形態２に係る撮影装置１Ａのカメラ機能開始から撮影画像表示までの処理を示すフローチャートである。同図において、カメラ撮影画像処理部７Ａは、カメラ機能を開始する（ステップＳ１０）。カメラ撮影画像処理部７Ａは、カメラ機能を開始すると、ユーザの指２０がプレビュー画像の上空にあって、かつタッチパネル部２と指２０との間の距離がＺｃであるかどうか判定する（ステップＳ１１）。この判定において、当該条件を満足していない場合は、満足するまで本判定を繰り返し、当該条件を満足する場合は、カメラ６に対するフォーカス調整を行い、リングバッファ８への画像の取り込みを開始する（ステップＳ１２）。
【００７６】
画像の取り込みを開始した後、指２０がプレビュー画像にタッチしたかどうか判定し（ステップＳ１３）、タッチされていない場合は、タッチされるまで本判定を繰り返し、タッチされた場合は、画像取り込みを終了し、指２０がプレビュー画像にタッチされる直前の画像（例えば、数枚前の画像）を抽出する（ステップＳ１４）。そして、抽出した画像をメモリカード９に保存する（ステップＳ１５）。抽出された画像がメモリカード９に保存されると、画像表示制御部１０が、メモリカード９から当該画像を読み出し、液晶部１１に表示する（ステップＳ１６）。撮影画像が表示された後、本処理を終える。
【００７７】
このように実施の形態２に係る撮影装置１Ａにおいても、手ぶれの無い画像を撮影することができる。
【００７８】
なお、実施の形態２に係る撮影装置１Ａにおいても図９のフローチャートで示す処理を記述したプログラムをＲＯＭに持たせるが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００７９】
（実施の形態３）
図１０は、本発明の実施の形態３に係る撮影装置の概略構成を示すブロック図である。なお、同図において、前述した図１と共通する部分には同一の符号を付けている。また、本実施の形態に係る撮影装置６０においてもスマートフォンと呼ばれる携帯無線機に搭載したものであり、無線機としての通信に関する部分は省略している。
【００８０】
図１０において、本実施の形態に係る撮影装置６０は、実施の形態１に係る撮影装置１のカメラ撮影画像処理部７と一部機能の異なるカメラ撮影画像処理部６１を有するとともに、リングバッファ８の代わりに通常のバッファ６２を有している。カメラ撮影画像処理部６１及びバッファ６２以外の各部は同一であるので、共通する各部についての説明は省略する。
【００８１】
カメラ撮影画像処理部６１は、オートフォーカス（Auto Focus、焦点合わせ）を行うための制御信号をカメラ６へ出力する。この場合、オートフォーカスは、液晶部１１における所定の領域に対して行われる。所定の領域とは例えば画像の中心である。なお、オートフォーカス以外に、オートエクスポージャ（Auto Exposure、露出合わせ）又はオートホワイトバランス（Auto White Balance、ホワイトバランス合わせ）も行うようにしてもよい。
【００８２】
また、カメラ撮影画像処理部６１は、カメラ６から連続して出力される撮影画像データを入力して画像表示制御部１０へ出力する。また、カメラ撮影画像処理部６１は、座標出力部５から出力される座標信号のうちＺ軸方向の信号より指の近接を判定し、さらにシャッターアイコン（カメラ作動時に液晶部１１の所定位置に表示される）の上空（“シャッターアイコン上空”）にあるかどうか判定する。指がシャッターアイコン上空にある場合、該指との距離を判定する。即ち、タッチパネル部２と指との間の距離を判定する。この判定において、当該距離が第１の距離以下であり、かつ第１の距離より小さい第２の距離より大きい場合、カメラ撮影画像処理部６１は、カメラ６に対して、オートフォーカスを行う。その後、タッチパネル部２と指との間の距離が、第２の距離以下であり、かつ０以上になった場合、シャッターアイコンが押下されたと判断し（即ち、シャッターが切られたと判断し）、そのときにカメラ６から出力された１フレーム分の撮影画像データをバッファ６２に保持させる。さらに、今撮影された画像をユーザが認識できるように、バッファ６２に保持させた撮影画像データを画像表示制御部１０へ出力する。なお、指がシャッターアイコンにタッチされた場合、タッチパネル部２と指との間の距離が０となる。
【００８３】
また、カメラ撮影画像処理部６１は、バッファ６２に保存された撮影画像データを保存する指示があると（この指示はユーザが行う）、バッファ６２に保存された撮影画像データをメモリカード９に記録する。
【００８４】
画像表示制御部１０は、カメラ撮影画像処理部６１から出力される撮影画像データから画像信号を生成して液晶部１１へ出力し、プレビュー画像を表示する。また、画像表示制御部１０は、撮影が行われたときにバッファ６２から読み出された撮影画像データから画像信号を生成して液晶部１１へ出力し、撮影画像を表示する。また、画像表示制御部１０は、メモリカード９に記録された撮影画像データがメモリカード９から読み出された場合、当該撮影画像データから画像信号を生成して液晶部１１へ出力し、記録画像を表示する。なお、メモリカード９にはフラッシュメモリ等の不揮発性メモリが用いられる。勿論、メモリカード９は、装置本体に対して着脱自在となっている。また、バッファ６２には、ＤＲＡＭ（Dynamic Random Access Memory）等の揮発性メモリが用いられる。
【００８５】
このようにカメラ撮影画像処理部６１は、タッチパネル部２と指との間の距離が、第１の距離以下であり、かつ第１の距離より小さい第２の距離より大きい場合、オートフォーカス（所定の領域に対するフォーカス）を行い、その後、タッチパネル部２と指との間の距離が、第２の距離以下であり、かつ０以上になった場合、撮影を行い、撮影画像を表示するので、ベストタイミングで撮影を行うことができる（別な言い方をすれば、シャッターチャンスを逃すことなく撮影を行うことができる）。
【００８６】
図１１（ａ），（ｂ）は、本実施の形態に係る撮影装置６０を搭載したスマートフォン７０による撮影時の様子を示す図であり、（ａ）は指２０がシャッターアイコン７１の上空にある場合を示しており、（ｂ）は指２０がシャッターアイコン７１にタッチした場合を示している。タッチパネル部２と指２０との間の距離Ｚｂが第１の距離以下で、第２の距離を超える範囲に入ることで、オートフォーカスが行われる。その後、指２０がタッチパネル部２に触れると（タッチパネル部２と指２０との間の距離Ｚｂが第２の距離以下で、０以上になると）、撮影が行われる。なお、この例では、液晶部１１の画面中央の被写体４０に対して焦点合わせが行われる。
【００８７】
次に、本実施の形態に係る撮影装置６０の動作を説明する。
図１２は、本実施の形態に係る撮影装置６０のカメラ機能開始から撮影画像保存までの処理を示すフローチャートである。同図において、カメラ撮影画像処理部６１は、カメラ機能を開始する（ステップＳ２０）。カメラ撮影画像処理部６１は、カメラ機能を開始すると、ユーザの指２０がシャッターアイコン７１の上空にあって、かつタッチパネル部２と指２０との間の距離がＺｂであるかどうか判定する（ステップＳ２１）。この判定において、当該条件を満足していない場合は、満足するまで本判定を繰り返し、当該条件を満足する場合は、カメラ６に対するオートフォーカスを開始する（ステップＳ２２）。
【００８８】
オートフォーカスの開始後、指２０がシャッターアイコン７１にタッチしたかどうか判定し（ステップＳ２３）、タッチされていない場合は、タッチされるまで本判定を繰り返し、タッチされた場合は、撮影を行い、撮影画像をバッファ６２に保存するとともに、保存した撮影画像を液晶部１１に表示する（ステップＳ２４）。撮影画像をバッファ６２に保存するとともに、液晶部１１に表示する処理を行った後、撮影画像を保存するユーザの指示があった場合、撮影画像をメモリカード９に保存し（ステップＳ２５）、本処理を終える。
【００８９】
このように実施の形態３に係る撮影装置６０によれば、タッチパネル部２と指２０との間の距離が第１の距離以下であり、かつ第１の距離より小さい第２の距離より大きい場合、液晶部１１における所定の領域に対してオートフォーカスを行い、その後、タッチパネル部２と指２０との間の距離が第２の距離以下であり、かつ０以上になった場合、撮影を行い、撮影画像を表示するので、ベストタイミングで撮影を行うことができる（シャッターチャンスを逃すことなく撮影を行うことができる）。
【００９０】
なお、実施の形態３に係る撮影装置６０では、図１２のフローチャートで示す処理を記述したプログラムをＲＯＭに持たせるが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００９１】
（実施の形態４）
前述した実施の形態３に係る撮影装置６０は、液晶部１１における所定の領域に対してオートフォーカスを行うものであったが、本発明の実施の形態４に係る撮影装置は、プレビュー画像の指示体に対応する領域に対してオートフォーカスを行うことを可能にしたものである。なお、本発明の実施の形態４に係る撮影装置は、実施の形態３に係る撮影装置６０と共通の構成を採るので、図１０を援用し、符号６０Ａを付することとする。但し、カメラ撮影画像処理部は、実施の形態３に係る撮影装置６０のカメラ撮影画像処理部６１と機能的に若干異なるので、符号６１Ａを付すこととする。
【００９２】
本実施の形態に係る撮影装置６０Ａのカメラ撮影画像処理部６１Ａは、指示体である指がタッチパネル部２から第２の距離より大きく、第１の距離以下の範囲に入った場合、プレビュー画像の指に対応する領域に対してオートフォーカスを行い、その後、指がタッチパネル部２の表面から第２の距離以下の範囲に入った場合、撮影を行う。
【００９３】
図１３（ａ），（ｂ）は、本実施の形態に係る撮影装置６０Ａを搭載したスマートフォン７０による撮影時の様子を示す図であり、（ａ）は指２０がプレビュー画像の対応する領域（例えばプレビュー画像の被写体４０の頭部）の上空にある場合を示しており、（ｂ）は指２０がプレビュー画像の対応する領域にタッチした場合を示している。タッチパネル部２と指２０との間の距離Ｚｃが第１の距離以下で、第２の距離を超える範囲に入ることで、プレビュー画像の指２０に対応する領域に矩形状のフォーカスマーク５０が表示された後、オートフォーカスが行われる。その後、指２０がタッチパネル部２に触れると（タッチパネル部２と指２０との間の距離Ｚｃが第２の距離以下で、０以上になると）、撮影が行われる。なお、本実施の形態に係る撮影装置６０Ａでも前述した実施の形態３に係る撮影装置６０と同様に、シャッターアイコン７１の操作でも撮影を行うことができる。
【００９４】
図１４は、本実施の形態に係る撮影装置６０Ａのカメラ機能開始から撮影画像保存までの処理を示すフローチャートである。同図において、カメラ撮影画像処理部６１Ａは、カメラ機能を開始する（ステップＳ３０）。カメラ撮影画像処理部６１Ａは、カメラ機能を開始すると、ユーザの指２０がプレビュー画像の上空にあって、かつタッチパネル部２と指２０との間の距離がＺｃであるかどうか判定する（ステップＳ３１）。この判定において、当該条件を満足していない場合は、満足するまで本判定を繰り返し、当該条件を満足する場合は、カメラ６に対するオートフォーカスを開始する（ステップＳ３２）。
【００９５】
オートフォーカスの開始後、指２０がプレビュー画像にタッチしたかどうか判定し（ステップＳ３３）、タッチされていない場合は、タッチされるまで本判定を繰り返し、タッチされた場合は、撮影を行い、撮影画像をバッファ６２に保存するとともに、撮影画像を液晶部１１に表示する（ステップＳ３４）。撮影画像をバッファ６２に保存するとともに、液晶部１１に表示する処理を行った後、撮影画像を保存するユーザの指示があった場合、撮影画像をメモリカード９に保存し（ステップＳ３５）、本処理を終える。
【００９６】
このように実施の形態４に係る撮影装置６０Ａによれば、タッチパネル部２と指２０との間の距離が第１の距離以下であり、かつ第１の距離より小さい第２の距離より大きい場合、プレビュー画像の指に対応する領域に対してオートフォーカス（いわゆる、被写体の手動追尾）を行い、その後、タッチパネル部２と指２０との間の距離が第２の距離以下であり、かつ０以上になった場合、撮影を行い、撮影画像を表示するので、ベストタイミングで撮影を行うことができる（シャッターチャンスを逃すことなく撮影を行うことができる）。特に、被写体が頻繁に移動する場合に効果がある。
【００９７】
なお、実施の形態４に係る撮影装置６０Ａでは、図１４のフローチャートで示す処理を記述したプログラムをＲＯＭに持たせるが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００９８】
（実施の形態５）
図１５は、本発明の実施の形態５に係る撮影装置の概略構成を示すブロック図である。本実施の形態に係る撮影装置８０は、スマートフォンと呼ばれる携帯無線機に搭載したものであり、無線機としての通信に関する部分は省略している。なお、本実施の形態に係る撮影装置８０は、実施の形態３に係る撮影装置６０と基本的には共通の構成を採るものである。但し、カメラ撮影画像処理部及び画像表示制御部は、実施の形態３に係る撮影装置６０のカメラ撮影画像処理部６１及び画像表示制御部１０それぞれと機能的に若干異なるので、カメラ撮影画像処理部については符号８１を付し、画像表示制御部については符号１０Ａを付すこととする。
【００９９】
本実施の形態に係る撮影装置８０のカメラ撮影画像処理部８１は、タイマ８１１を有し、このタイマ８１１を使用して、タッチパネル部２と指示体である指との間の距離が第１の距離以下であり、かつ、第１の距離より小さい第２の距離より大きい状態が所定の時間継続しているかどうか判定し、当該状態が所定の時間継続すれば、撮影を行い、撮影画像を液晶部１１に表示させる。この機能により、指を所定の時間、タッチパネル部２から第２の距離より大きく、第１の距離以下の範囲内に留めておくだけで撮影を行うことができるようになり、操作性が向上する。この場合、指が当該範囲にある間に少なくともオートフォーカスが行われる。また、撮影画像は一旦バッファ６２に保持されるが、ユーザ操作によって、メモリカード９に保存される。
【０１００】
また、カメラ撮影画像処理部８１は、撮影時に画像表示制御部１０Ａを制御して、撮影のタイミングが近づきつつある旨を液晶部１１に表示させる。当該表示は例えば模式的に行われる。図１６（ａ）〜（ｄ）は、撮影のタイミングが近づきつつある旨を模式的に表示した例を示す図である。同図において、画像の下方に、対向する２つの矢印１０１，１０２からなるアイコン１００が表示され、２つの矢印１０１，１０２が時間の経過とともに接近して行く。アイコン１００の２つの矢印１０１，１０２が、（ａ）、（ｂ）、（ｃ）の順で変化し、（ｃ）は所定の時間が来たときの表示であり、この表示になったときに撮影が行われる（即ち、シャッターが切れる）。（ｄ）は撮影画像である。このようにして、撮影のタイミングが近づきつつある旨を模式的に表示することで、ユーザは撮影のタイミングを知ることができ、ベストタイミングで撮影を行うことができる（別な言い方をすれば、シャッターチャンスを逃すことなく撮影を行うことができる）。なお、この模式的な表示の他に、音声による案内を行うようにして良いし、模式的な表示と音声案内を組み合わせても良い。音声案内の一例として、例えば「まもなくシャッターが切れます」が挙げられる。
【０１０１】
図１７は、本実施の形態に係る撮影装置８０のタイマリセットから撮影画像保存までの処理を示すフローチャートである。同図において、カメラ撮影画像処理部８１は、自身のタイマ８１１をリセットする（ステップＳ４０）。次いで、カメラ撮影画像処理部８１は、タッチパネル部２と指示体である指２０との間の距離が第１の距離Ｚ１以下であり、かつ、第１の距離Ｚ１より小さい第２の距離Ｚ０より大きいかどうか判定し（ステップＳ４１）、Ｚ１≧距離＞Ｚ０が成立しない場合はステップＳ４０に戻り、Ｚ１≧距離＞Ｚ０が成立する場合はタイマ８１１をスタートさせる（ステップＳ４２）。
【０１０２】
Ｚ１≧距離＞Ｚ０が成立し、タイマ８１１をスタートさせた後、再度ステップＳ４１と同じ判定を行う。即ち、タッチパネル部２と指示体である指２０との間の距離が第１の距離Ｚ１以下であり、かつ、第１の距離Ｚ１より小さい第２の距離Ｚ０より大きいかどうか判定する（ステップＳ４３）。Ｚ１≧距離＞Ｚ０が成立しない場合はステップＳ４０に戻り、Ｚ１≧距離＞Ｚ０が成立する場合はタイマ８１１の計数値から所定時間を経過したかどうか判定する（ステップＳ４４）。所定時間を経過していない場合はステップＳ４３に戻り、所定時間を経過した場合は撮影を行う（ステップＳ４５）。次いで、撮影画像をバッファ６２に保存するとともに、保存した画像を液晶部１１に表示する（ステップＳ４６）。撮影画像をバッファ６２に保存するとともに、液晶部１１に表示する処理を行った後、撮影画像を保存するユーザの指示があった場合、撮影画像をメモリカード９に保存し（ステップＳ４７）、本処理を終える。
【０１０３】
このように実施の形態５に係る撮影装置８０によれば、所定の時間、タッチパネル部２と指示体である指２０との間の距離が第１の距離以下であり、かつ、第１の距離より小さい第２の距離より大きい場合、撮影を行うので、操作性の向上が図れ、ベストタイミングで撮影を行うことができる（シャッターチャンスを逃すことなく撮影を行うことができる）。
【０１０４】
なお、実施の形態５に係る撮影装置８０では、図１７のフローチャートで示す処理を記述したプログラムをＲＯＭに持たせるが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【０１０５】
本発明を詳細にまた特定の実施態様を参照して説明したが、本発明の精神と範囲を逸脱することなく様々な変更や修正を加えることができることは当業者にとって明らかである。
【０１０６】
本出願は、２０１２年５月２４日出願の日本特許出願（特願２０１２−１１８９２１）及び２０１２年７月３日出願の日本特許出願（特願２０１２−１４９６０１）に基づくものであり、その内容はここに参照として取り込まれる。
【産業上の利用可能性】
【０１０７】
本発明は、手ぶれの無い画像を撮影することができるといった効果を有し、スマートフォン等の静電容量方式のタッチパネルを搭載した携帯情報端末への適用が可能である。
【符号の説明】
【０１０８】
１，１Ａ，６０，６０Ａ，８０  撮影装置
２  タッチパネル部
３  タッチパネルコントローラ
４  電源及び制御部
５  座標出力部
６  カメラ
７，７Ａ，６１，６１Ａ，８１  カメラ撮影画像処理部
８  リングバッファ
９  メモリカード
１０，１０Ａ  画像表示制御部
１１  液晶部
１５  タッチパネルモジュール
２０  指
３０，７０  スマートフォン
３１，７１  シャッターアイコン
４０  被写体
５０  フォーカスマーク
６２  バッファ
８１１  タイマ
【図１】
0005523635.tif 000002
【図２】
0005523635.tif 000003
【図３】
0005523635.tif 000004
【図４】
0005523635.tif 000005
【図５】
0005523635.tif 000006
【図６】
0005523635.tif 000007
【図７】
0005523635.tif 000008
【図８】
0005523635.tif 000009
【図９】
0005523635.tif 000010
【図１０】
0005523635.tif 000011
【図１１】
0005523635.tif 000012
【図１２】
0005523635.tif 000013
【図１３】
0005523635.tif 000014
【図１４】
0005523635.tif 000015
【図１５】
0005523635.tif 000016
【図１６】
0005523635.tif 000017
【図１７】
0005523635.tif 000018